(57)【要約】【課題】回転電機ステータにおいて、各相に割り当てられるティースの数に関係なく、渦電流損失を低減し、循環電流の発生を抑制することである。【解決手段】回転電機ステータ１０は、ステータコア１２のティース１６に集中巻で巻回される各相巻線２０を含み、ティース１６の各相巻線２０は、ティース１６の径方向に沿って複数回巻回されるものをティース１６の根元側から先端側に向かって第１ブロックから第４ブロックの４ブロックに分け、第１ブロックと第４ブロックを直列接続して導線Ａとし、第２ブロックと第３ブロックを直列接続して導線Ｂとし、導線Ａと導線Ｂとを互いに並列接続してそのティース１６の巻線とする。【選択図】図１
2016025772.tif 000002
【特許請求の範囲】
【請求項１】
ベース部とベース部から内周側に径方向に沿って突き出して配置される複数のティースとを含むステータコアと、
ステータコアの各ティースに集中巻で巻回される巻線と、
を含み、
各ティースの巻線は、
ティースの径方向に沿って複数回巻回されるものをティースの根元側から先端側に向かって第１ブロックから第４ブロックの４ブロックに分け、
第１ブロックと第４ブロックを直列接続して導線Ａとし、
第２ブロックと第３ブロックを直列接続して導線Ｂとし、
導線Ａと導線Ｂとを互いに並列接続してそのティースの巻線とすることを特徴とする回転電機ステータ。
【発明の詳細な説明】
【技術分野】
【０００１】
本発明は、回転電機ステータに係り、特に各相巻線が集中巻で巻回される回転電機ステータに関する。
【背景技術】
【０００２】
三相回転電機が大出力化すると巻線電流が大きくなるので、発生する銅損による熱を抑制するために導線を太くする。導線を太くすると曲げ加工性等が低下し、導線中に発生する渦電流損が増加し、回転電機の効率が低下する。そこで、各相巻線を構成する導線を複数の細い導線に分けて巻回し、これを並列接続することが行われる。例えば、Ｕ相巻線の場合、断面積Ｓの導線をＳ／２の断面積の２本の細い導線としてステータの各ティースにそれぞれ巻回し、この２つの導線を並列接続してＵ相巻線とする。
【０００３】
ところが、１つのティースに２つの導線を巻回するとき、ティースの全く同じ場所に２つの導線を巻回することができないため、並列接続される２つの導線の間の巻線長が異なりこれにより抵抗値の差が生じる。このため、２つの導線のそれぞれの端子間電圧が同じであっても２つの導線の間に循環電流が流れる。循環電流が流れると回転電機の損失が増大するので、循環電流を抑制することが必要となる。
【０００４】
特許文献１では、三相回転電機の各相当り６ティースについて、各ティースに内側巻線と外側巻線の２つの導線を重ねて集中巻し、２つの導線を並列接続するときの循環電流の抑制法が開示されている。ここでは、同じ相の６ティースにおける２つのティースの間で２つの導線を接続するときに、一方のティースの内側配線を他方のティースの外側配線に接続し、一方のティースの外側配線を他方のティースの内側配線に接続する。このような交互接続を繰り返すことで、同じ相の６ティースの全体において、２つの導線のそれぞれに含まれる内側導線の数と外側導線の数を同じにできると述べられている。
【０００５】
本発明に関連する技術として、三相回転電機のステータの各相の複数のティースのそれぞれについて内側巻線と外側巻線の２つの導線を重ねて集中巻し２つの導線を並列接続する構造ではないが、特許文献２から５には巻線の並列接続法について述べられている。
【先行技術文献】
【特許文献】
【０００６】
【特許文献１】特開２００８−１０９８２９号公報
【特許文献２】特開２００４−３２８９１７号公報
【特許文献３】特開２０１４−４５５４０号公報
【特許文献４】特開２０１０−２５２６１１号公報
【特許文献５】特開２００５−１１０４１３号公報
【発明の概要】
【発明が解決しようとする課題】
【０００７】
三相回転電機のステータの各相の複数のティースのそれぞれについて内側巻線と外側巻線の２つの導線を重ねて集中巻し２つの導線を並列接続すると２つの導線の間で循環電流が生じる。これを抑制できる特許文献１の方法は、ステータにおいて各相にそれぞれ割り当てられるティースの数が偶数のときに適用でき、奇数のときには適用できず、適用範囲が限られる。
【０００８】
本発明の目的は、各相における複数のティースの数に関係なく、渦電流損失を低減し、循環電流の発生を抑制することができる回転電機ステータを提供することである。
【課題を解決するための手段】
【０００９】
本発明に係る回転電機ステータは、ベース部とベース部から内周側に径方向に沿って突き出して配置される複数のティースとを含むステータコアと、ステータコアの各ティースに集中巻で巻回される巻線と、を含み、各ティースの巻線は、ティースの径方向に沿って複数回巻回されるものをティースの根元側から先端側に向かって第１ブロックから第４ブロックの４ブロックに分け、第１ブロックと第４ブロックを直列接続して導線Ａとし、第２ブロックと第３ブロックを直列接続して導線Ｂとし、導線Ａと導線Ｂとを互いに並列接続してそのティースの巻線とすることを特徴とする。
【発明の効果】
【００１０】
上記構成によれば、回転電機ステータの各ティースに巻回される巻線は、ティースの先端側に配置される第１ブロックと根元側に配置される第４ブロックとを直列接続する導線Ａと、先端側と根元側の中間に配置される第２ブロックと第３ブロックとを直列接続する導線Ｂとを互いに並列接続する。これによって１つのティースにおいて、並列接続される導線Ａと導線Ｂの抵抗値をほぼ同じにできる。例えば、三相回転電機において、各相に割り当てられるティースの数が奇数であっても偶数であってもそれに関係なく、渦電流損失を低減し、循環電流の発生を抑制することができる。
【図面の簡単な説明】
【００１１】
【図１】本発明に係る回転電機ステータの１つのティースに配置される巻線を４つのブロックに分けて結線することを示す図である。
【図２】図１の４つのブロックの巻線が導線Ａと導線Ｂに割り当てられ、導線Ａと導線Ｂが並列接続されることを示す図である。
【図３】図１の１つのティースに配置される巻線の斜視図である。図３（ａ）は、巻線が第１ブロックから第４ブロックの４つのブロックで構成されることを示し、（ｂ）は、第２ブロックと第３ブロックについて、巻線の間隔を延ばして、内側巻線と外側巻線の巻回を示す図である。
【図４】図１の変形例を示す図である。
【図５】図１の別の変形例を示す図である。
【図６】図１に対する従来例を示す図である。
【図７】別の従来例を示す図である。
【発明を実施するための形態】
【００１２】
以下に図面を用いて本発明に係る実施の形態につき、詳細に説明する。以下で述べる寸法、形状、材質、ティースの数、巻線の巻数等は説明のための例示であって、回転電機ステータの仕様に応じ適宜変更が可能である。以下では、全ての図面において同様の要素には同一の符号を付し、重複する説明を省略する。
【００１３】
図１は、回転電機ステータ１０の部分図である。以下では、回転電機ステータ１０を特に断らない限りステータ１０と呼ぶ。ステータ１０は、ステータコア１２と、ステータコア１２に巻回される各相巻線２０を含んで構成される。回転電機は、車両が力行するときは電動機として機能し、車両が制動時にあるときは発電機として機能するモータ・ジェネレータで、三相回転電機である。回転電機はステータ１０と、ステータ１０の内周側に所定の磁気ギャップを隔てて配置されるロータとで構成される。
【００１４】
ステータコア１２は、環状の磁性体部品で、外周側のベース部１４、ベース部１４から内径側に突き出す複数のティース１６、隣接するティース１６の間の空間であるスロット１８，１９を含んで構成される。各相巻線２０は、スロット１８に挿通されてティース１６の壁面に沿って巻かれスロット１９に抜け、これを繰り返して所定の巻数で巻回される。図示を省略したがティース１６と各相巻線２０の間にはインシュレータが配置される。ティース１６に巻回される各相巻線２０は、ステータコア１２の軸方向端部から突出し、コイルエンドを形成する。
【００１５】
かかるステータコア１２は、ティース１６、スロット１８，１９を含んで所定の形状に成形された円環状の磁性体薄板を複数積層したものが用いられる。磁性体薄板としては、電磁鋼板を用いることができる。磁性体薄板の積層体に代えて、磁性粉末を所定の形状に一体化成形したものを用いることもできる。
【００１６】
各相巻線２０は、三相回転電機においては、Ｕ相巻線、Ｖ相巻線、Ｗ相巻線で構成される。ステータコア１２のティース１６の数は、３の倍数であり、例えば、１５であるときは、Ｕ相巻線が巻回されるティース１６が５つ、Ｖ相巻線が巻回されるティース１６が５つ、Ｗ相巻線が巻回されるティース１６が５つである。各相巻線２０の巻回方法には分布巻と集中巻が知られているが、ここでは、１つのティース１６に１つの相巻線のみが巻回される集中巻である。
【００１７】
例えば、Ｕ相に割り当てられた５つのティース１６のそれぞれのティース１６にそれぞれ集中巻された巻線を互いに直列接続して、回転電機におけるＵ相巻線が構成される。各ティース１６のそれぞれ集中巻されたＵ相巻線と、これらを互いに直列接続して構成される回転電機におけるＵ相巻線を区別して、前者を、１つのティース１６におけるＵ相巻線２０とし、後者を、全体のＵ相巻線１２０と呼ぶ。図１には、１つのティース１６におけるＵ相巻線２０が示される。以下では、特に断らない限り、１つのティース１６におけるＵ相巻線２０を、単にＵ相巻線２０と呼ぶ。
【００１８】
Ｕ相巻線２０は、絶縁皮膜付き導線で構成される。絶縁皮膜付き導線の素線としては、銅線、銅錫合金線、銀メッキ銅錫合金線等が用いられ、絶縁皮膜としては、ポリアミドイミド、ポリエステルイミド、ポリイミド、ポリエステル、ホルマール等のエナメル皮膜が用いられる。
【００１９】
絶縁皮膜付き導線は、スロット１８内の占積率を考えると断面形状が円形の丸線よりも、断面形状が矩形の平角線がよい。Ｕ相巻線２０は、銅損による熱を抑制するために導線の断面積Ｓを２つに分けて、それぞれがＳ／２の断面積を有する２つの細い導線とし、これを並列接続する構成を取る。断面積ＳをＳ／２とするのは、矩形断面を等分に分けることで行われ、図１では、断面積Ｓの導線をティース１６の径方向に沿った分割線で２つに分けて断面積Ｓ／２の２つの細い導線とした。２つの細い導線は、ティース１６の壁面に沿って巻回される内側巻線と、内側巻線の外側に重ねて巻回される外側巻線となる。内側巻線の外側に重ねて巻回とは、ティース１６の径方向に沿った位置を同じとして重ねて巻回することである。
【００２０】
したがって、ティース１６の径方向に沿って同じ位置においては、内側巻線と、内側巻線の外側に重ねて巻回される外側巻線とで構成される重ね巻が配置され、この重ね巻がティース１６の径方向に沿って８つ配置されてＵ相巻線２０を形成する。ここで、巻線の巻数について、ティース１６の壁面に沿って１本の導線が１回巻かれることを巻数＝１とすると、ティース１６の径方向に沿った位置を同じとする内側巻線と外側巻線の重ね巻は、巻数＝２である。この巻数＝２の重ね巻がティース１６の径方向に沿った位置で１つ巻かれたものを巻数＝２と区別して段数＝１と呼ぶこととする。したがって、Ｕ相巻線２０は、巻数＝２の重ね巻が８段巻回され、合計の巻数＝１６となる。
【００２１】
図１では、ティース１６の径方向を示した。ティース１６の径方向とは、ステータコア１２の径方向と同じ方向で、ベース部１４からティース１６が延びる長手方向である。径方向の根元側はティース１６のベース部１４側であり、径方向の先端側はステータコア１２の内周側である。
【００２２】
内側巻線と外側巻線とでは、１巻の巻線長が異なるので、断面積が同じであれば、１巻の抵抗値は外側巻線の方が内側巻線よりも高くなる。内側巻線と外側巻線を並列接続すると、この抵抗値の差で、循環電流が流れることになる。また、内側巻線と外側巻線とでは磁路となるティース１６からの距離が異なるのでロータからの磁界による鎖交磁束の大きさが異なる。また、ティース１６の先端側の巻線と根元側の巻線では、ロータからの距離が異なるので、ロータからの磁界による鎖交磁束の大きさが異なる。
【００２３】
そこで、図１に示すように、重ね巻８段のＵ相巻線２０をティース１６の径方向に沿って４つのブロックに分ける。ここでは、重ね巻２段を１つのブロックとする。ティース１６の根元側から先端側に向かって、第１ブロック、第２ブロック、第３ブロック、第４ブロックである。
【００２４】
第１ブロックは、根元側の重ね巻１段とそれより先端側の重ね巻１段の重ね巻２段で構成される。根元側の重ね巻１段は、外側巻線Ａ１，Ａ２から始まって内側巻線Ａ３，Ａ４で終わる。それより先端側の重ね巻１段は、内側巻線Ａ５，Ａ６で始まって外側巻線Ａ７，Ａ８で終わる。根元側の重ね巻１段とそれより先端側の重ね巻１段は、内側巻線のＡ４から内側巻線のＡ５に巻線間渡り線（図３（ｂ）の巻線間渡り線３０参照）が設けられて接続される。したがって、第１ブロックの巻始めは外側巻線のＡ１で、巻終わりは外側巻線のＡ８である。
【００２５】
第２ブロックは、第１ブロックと同じ巻線の仕方で構成される。すなわち、根元側の重ね巻１段とそれより先端側の重ね巻１段の重ね巻２段で構成される。根元側の重ね巻１段は、外側巻線Ｂ１，Ｂ２から始まって内側巻線Ｂ３，Ｂ４で終わる。それより先端側の重ね巻１段は、内側巻線Ｂ５，Ｂ６で始まって外側巻線Ｂ７，Ｂ８で終わる。根元側の重ね巻１段とそれより先端側の重ね巻１段は、内側巻線のＢ４から内側巻線のＢ５に巻線間渡り線３０（図３（ｂ）参照）が設けられて接続される。したがって、第２ブロックの巻始めは外側巻線のＢ１で、巻終わりは外側巻線のＢ８である。
【００２６】
第３ブロックも第１ブロック、第２ブロックと同じ巻線の仕方で構成される。すなわち、根元側の重ね巻１段とそれより先端側の重ね巻１段の重ね巻２段で構成される。根元側の重ね巻１段は、外側巻線Ｂ９，Ｂ１０から始まって内側巻線Ｂ１１，Ｂ１２で終わる。それより先端側の重ね巻１段は、内側巻線Ｂ１３，Ｂ１４で始まって外側巻線Ｂ１５，Ｂ１６で終わる。根元側の重ね巻１段とそれより先端側の重ね巻１段は、Ｂ１２からＢ１３に巻線間渡り線３２（図３（ｂ）参照）が設けられて接続される。したがって、第３ブロックの巻始めは外側巻線のＢ９で、巻終わりは外側巻線のＢ１６である。
【００２７】
第４ブロックも第１ブロックから第３ブロックと同じ巻線の仕方で構成される。すなわち、根元側の重ね巻１段とそれより先端側の重ね巻１段の重ね巻２段で構成される。根元側の重ね巻１段は、外側巻線Ａ９，Ａ１０から始まって内側巻線Ａ１１，Ａ１２で終わる。それより先端側の重ね巻１段は、内側巻線Ａ１３，Ａ１４で始まって外側巻線Ａ１５，Ａ１６で終わる。根元側の重ね巻１段とそれより先端側の重ね巻１段は、Ａ１２からＡ１３に巻線間渡り線（図３（ｂ）の巻線間渡り線３２参照）が設けられて接続される。したがって、第４ブロックの巻始めは外側巻線のＡ９で、巻終わりは外側巻線のＡ１６である。
【００２８】
そして、第１ブロックの巻終わりのＡ８と第４ブロックのＡ９がブロック間渡り線２２で接続される。これによって、第１ブロックの巻始めのＡ１から第４ブロックの巻終わりのＡ１６までが１つの導線でティース１６に巻数＝８で巻回される。この１つの導線を導線Ａとすると、導線Ａの入力端ＡＩＮは外側配線Ａ１で、出力端ＡＯＵＴは外側配線Ａ１６である。
【００２９】
第２ブロックと第３ブロックは、第２ブロックの巻終わりＢ８と第３ブロックの巻始めＢ９がブロック間渡り線３４（図３（ｂ）参照）で接続される。これによって、第２ブロックの巻始めのＢ１から第３ブロックの巻終わりのＢ１６までが１つの導線でティース１６に巻数＝８で巻回される。この１つの導線を導線Ｂとすると、導線Ｂの入力端ＢＩＮは外側配線Ｂ１で、出力端ＢＯＵＴは外側配線Ｂ１６である。
【００３０】
図２は、導線Ａと導線Ｂとを互いに並列接続し、Ｕ相巻線２０を構成した図である。ＡＩＮであるＡ１とＢＩＮであるＢ１が互いに接続されて、図示されていない回転電機駆動回路についてＵ端子側の端子となる。また、ＡＯＵＴであるＡ１６とＢＯＵＴであるＢ１６が互いに接続されて回転電機のＹ結線について中性点側の端子となる。
【００３１】
Ｕ端子側の端子、中性線側の端子というのは、この三相回転電機はＵ相に５つのティース１６が割り当てられているので、回転電機の全体のＵ相巻線１２０は、図３のＵ相巻線２０を５つ直列に接続されたもので構成されるからである。図３のＵ端子側の端子がこの先のティース１６に配置されたＵ相巻線２０の中性線側の端子に接続され、図３の中性線側の端子がこの後のティース１６に配置されたＵ相巻線２０のＵ端子側の端子に接続され、これを５つ繰り返して、全体のＵ相巻線１２０が構成される。全体のＵ相巻線１２０の２端子が回転電機駆動回路のＵ相端子とＹ結線の中性点となる。その意味で、図３のＵ端子側の端子、中性点側の端子とは、回転電機ステータ１０の全体のＵ相巻線１２０の一部の中間的な端子である。
【００３２】
図２の例では、１つのティース１６毎に、導線Ａと導線Ｂとを並列接続するものとしたが、これに代えて、回転電機のＵ相に割り当てられた５つのティース１６に巻回された導線Ａのそれぞれを互いに直列接続したものと、５つのティース１６に巻回された導線Ｂのそれぞれを互いに直列接続したものとを、並列接続してもよい。この場合には、各ティース１６のＡＩＮが次のティース１６のＡＯＵＴと接続され、各ティース１６のＢＩＮが次のティース１６のＢＯＵＴと接続され、これを繰り返して、合成導線Ａと合成導線Ｂとなり、これが並列接続されて全体のＵ相巻線１２０となる。以下では、１つのティース１６毎に、導線Ａと導線Ｂとを並列接続するものとする。
【００３３】
図１を参照すると、導線Ａを構成する第１ブロックのＡ１からＡ８の重ね巻２段は、ティース１６の根元側に巻回され、導線Ａを構成する第４ブロックのＡ９からＡ１６の８段は、ティース１６の先端側に巻回される。一方、導線Ｂを構成する第２ブロックのＢ１からＢ８の重ね巻２段は、ティース１６の径方向に沿って第１ブロックのＡ１からＡ８に比べると先端側に巻回され、導線Ｂを構成する第３ブロックのＢ９からＢ１６の重ね巻２段は、ティース１６の径方向に沿って第４ブロックよりも根元側に巻回される。このように、導線Ａはティース１６の径方向に沿って根元側に配置された巻線と先端側に配置された巻線を接続して構成され、導線Ｂは導線Ａを構成する巻線よりもティース１６の径方向に沿って中間の位置に配置された巻線を接続して構成される。
【００３４】
また、導線Ａは重ね巻４段で全巻数は８であり、導線Ｂは重ね巻４段で全巻数は８であるので、導線Ａと導線Ｂのそれぞれの全巻数は同じである。また、導線Ａを構成する内側巻線の巻数は４、外側巻線の巻数は４であり、導線Ｂを構成する内側巻線の巻数は４、外側巻線の巻数は４で、内側巻線の巻数と外側巻線の巻数が導線Ａと導線Ｂで同じである。これによって、導線Ａと導線Ｂの間の循環電流をほぼゼロにでき、ロータからの鎖交磁束の大きさを導線Ａと導線Ｂとでほぼ同じにできる。
【００３５】
図３は、ティース１６に配置されるＵ相巻線２０の斜視図である。図３（ａ）は、Ｕ相巻線２０が第１ブロックから第４ブロックの４つのブロックで構成されることを示し、（ｂ）は、第２ブロックと第３ブロックについて、巻線の間隔を延ばして、内側巻線と外側巻線の巻回を示す図である。
【００３６】
図３（ａ）においてＵ相巻線２０のコイルエンドについてリード側の方向と反リード側の方向を示した。リード側は、ＡＩＮ，ＢＩＮ，ＡＯＵＴ，ＢＯＵＴが引き出される側である。Ｕ相巻線２０は、ティース１６の先端側から見て、右側のリード側コイルエンドに導線ＡのＡＩＮと導線ＢのＢＩＮが設けられ、左側のリード側コイルエンドに導線ＡのＡＩＮと導線ＢのＢＩＮが設けられる。ＡＩＮ，ＢＩＮ，ＡＯＵＴ，ＢＯＵＴはいずれも外側巻線から引き出される。
【００３７】
このように、ＡＩＮ，ＢＩＮ，ＡＯＵＴ，ＢＯＵＴはいずれも外側巻線から引き出されているため、ティース１６の壁面に内側巻線を巻回した後に内側巻線に重ねて外側巻線を巻く方法では、図３（ａ）に示すＵ相巻線を形成することが難しい。そこで、予め図３（ｂ）に示すような巻線の仕方でＵ相巻線２０を形成し、これをティース１６に被せるようにして配置することが好ましい。
【００３８】
図１、図３ではティース１６は径方向に沿って一様断面としたが、Ｕ相巻線２０をティース１６に組み込むには、ティース１６は先端側が先細りとなる形状が好ましい。先端が先細り形状のティース１６を用いると、ティース１６の先端側に巻回された巻線の抵抗値よりも根本側に巻回された巻線の抵抗値が高くなる。この場合でも、図２の結線のようにすることで、導線Ａの抵抗値と導線Ｂの抵抗値を近づけることができ、循環電流の発生を抑制できる。
【００３９】
図３（ａ）におけるＡＩＮとＢＩＮは互いに接続される。その接続点と、図３（ａ）のティース１６の先端側から見てティース１６の右側の次のＵ相用のティース１６のＡＯＵＴとＢＯＵＴの接続点の間は、図示を省略したティース間渡り線で接続される。同様に、ＡＯＵＴとＢＯＵＴは互いに接続される。その接続点と、図３（ａ）のティース１６の先端側から見てティース１６の左側の次のＵ相用のティース１６のＡＩＮとＢＩＮの接続点の間は図示を省略したティース間渡り線で接続される。
【００４０】
また、図１で述べたように、第１ブロック、第２ブロック、第３ブロック、第４ブロックの巻線の基本構造は同じで、各ブロックはそれぞれ重ね巻２段で構成され、各ブロックの重ね巻の１段目と２段目の間の接続はそれぞれ巻線間渡り線で行われる。図３（ｂ）の第２ブロック、第３ブロックの場合で説明すると、第２ブロックは重ね巻の１段目のＢ４と２段目のＢ５の間の接続はリード側コイルエンドにおける巻線間渡り線３０で行われ、第２ブロックは重ね巻の１段目のＢ１２と２段目のＢ１３の間の接続はリード側コイルエンドにおける巻線間渡り線３２で行われる。また、導線Ｂを構成する第２ブロックと第３ブロックの接続は、リード側コイルエンドにおけるブロック間渡り線３４で行われる。
【００４１】
このように、導線Ｂは、重ね巻４段の巻線を接続するためにリード側コイルエンドに、２つの巻線間渡り線３０，３２と１つのブロック間渡り線３４が設けられるので、リード側コイルエンドにおいて、最大で３つの巻線の重なりが生じる。これに対し、反リード側コイルエンドには巻線間渡り線もブロック間渡り線も設けられないので、コイルエンドにおける巻線の重なりは２つで済む。導線Ａは、第１ブロックと第４ブロックの間をブロック間渡り線２２で接続するが、このブロック間渡り線２２は、導線Ｂを構成する第２ブロックと第３ブロックのリード側コイルエンドに設けられる。したがって、Ｕ相巻線２０の反リード側コイルエンドは２つの巻線の重なりで済むのに対し、リード側コイルエンドは、最大で４つの巻線の重なりが生じ、コイルエンドの高さは、リード側の方が反リード側よりも高くなる。
【００４２】
図４は、図１の構成の変形で、互いに隣り合わせの外側巻線からＡＩＮとＢＩＮを引き出し、同様にＡＯＵＴとＢＯＵＴも互いに隣り合わせの外側巻線から引き出すようにしたものである。図１と比較すると、第１ブロックの重ね巻の１段目と２段目を入れ替え、第４ブロックの重ね巻の１段目と２段目を入れ替え、これに伴い図１における導線Ａのブロック間渡り線２２を移動させてブロック間渡り線４０に変更することで、図４の構成とすることができる。このようにＡＩＮとＢＩＮを隣り合わせに引き出すことでＡＩＮとＢＩＮの接続が容易になる。同様に、ＡＯＵＴとＢＯＵＴを隣り合わせに引き出すことでＡＯＵＴとＢＯＵＴの接続が容易になる。
【００４３】
図５も図１の構成の変形例で、導線Ａにおけるリード側に設けられる渡り線２２の代わりに、反リード側コイルエンドに導線Ａ用のブロック間渡り線４２と導線Ｂ用のブロック間渡り線４４を設けるようにしたものである。図１と比較すると、Ａ８とＢ１６を入れ替え、Ａ７と新しいＡ８とを反リード側コイルエンドにおけるブロック間渡り線４２で接続し、Ｂ１５と新しいＢ１６とを反リード側コイルエンドにおけるブロック間渡り線４２で接続することで、図５の構成とすることができる。これにより、リード側コイルエンドにおける巻線の重なりを３つとし、反リード側コイルエンドにおける巻線の重なりを４つとして、コイルエンドの高さをリード側と反リード側であまり変わらないようにできる。
【００４４】
図６、図７は、従来技術の例を示す図である。図６は、断面積Ｓの絶縁被覆付き導線に代えて断面積Ｓ／２の２つの細い絶縁被覆付き導線として、細い絶縁被覆付き導線の一方をティース１６の壁面に沿って巻回する内側巻線とし、他方を内側巻線に重ねて巻回する外側巻線とし、ティース１６の径方向に重ね巻８段としたものである。図６では、外側巻線をＡ１からＡ１６で示し、内側巻線をＢ１からＢ１６で示した。巻数＝８の外側巻線が導線Ａで、Ａ１がＡＩＮ、Ａ１６がＡＯＵＴとなる。巻数＝８の内側巻線が導線Ｂで、Ｂ１がＢＩＮ、Ｂ１６がＢＯＵＴとなる。ここで、導線Ａと導線Ｂを互いに並列接続してＵ相巻線２０とすると、外側巻線の導線Ａの抵抗値が内側巻線の導線Ｂの抵抗値より高くなり、循環電流が発生する。また、導線Ａに対する鎖交磁束の大きさと導線Ｂに対する鎖交磁束の大きさには差が生じる。
【００４５】
特許文献１にはこの循環電流に対する抑制法が示されているが、これが適用できるのは、各相当り２の倍数のティースが割り当てられるときに限られ、本発明のように各相当り５ティースが割り当てられるときには適用できない。図１から図５の構成によれば、１つのティース１６毎に導線Ａの抵抗値と導線Ｂの抵抗値をほぼ同じにできるので、各相に割り当てられるティースの数に関わらず、循環電流の発生を抑制できる。
【００４６】
図７は、図６の変形例で、断面積Ｓ／２の２つの細い絶縁被覆付き導線の重ね巻８段について、ティース１６の根元側の重ね巻４段を導線Ａとし、先端側の重ね巻４段を導線Ｂとしたものである。ティース１６が径方向に沿って一様断面のときは、導線Ａと導線Ｂを並列接続しても循環電流の発生を抑制できる。この場合でも、導線Ａに対する鎖交磁束の大きさと導線Ｂに対する鎖交磁束の大きさには差が生じる。また、ティース１６が径方向に沿って先細りの形状等のときは、導線Ａと導線Ｂを並列接続すると循環電流が発生する。図１から図５の構成によれば、導線Ａの抵抗値と導線Ｂの抵抗値をほぼ同じにでき、また、導線Ａに対する鎖交磁束の大きさと導線Ｂに対する鎖交磁束の大きさをほぼ同じにできる。
【符号の説明】
【００４７】
１０  （回転電機）ステータ、１２  ステータコア、１４  ベース部、１６  ティース、１８，１９  スロット、２０  （１つのティースにおける）Ｕ相巻線（各相巻線）、２２，３４，４０，４２，４４  ブロック間渡り線、３０，３２  巻線間渡り線、１２０  （全体の）Ｕ相巻線。
【図１】
2016025772.tif 000003
【図２】
2016025772.tif 000004
【図３】
2016025772.tif 000005
【図４】
2016025772.tif 000006
【図５】
2016025772.tif 000007
【図６】
2016025772.tif 000008
【図７】
2016025772.tif 000009